(57)【特許請求の範囲】
【請求項１】
回転刃式紙カッタであって、
一方向に回転するスクリューシャフトに、第１キャリッジが係合可能で第１キャリッジを第１端部から中心側位置を経て第１端部に往復移動可能な第１の溝と、第２キャリッジが係合可能で第２キャリッジを第２端部から中心側位置を経て第２端部に往復移動可能な第２の溝を設け、
第１キャリッジに第１キャリッジが移動する時に回転しながら固定刃に摺接する第１回転刃を取付け、第２キャリッジに第２キャリッジが移動する時に回転しながら固定刃に摺接する第２回転刃を取付け、
第１回転刃と第２回転刃が中心に向かって移動している時に、固定刃の第１回転刃と第２回転刃が摺接する面に略直角に配置された紙を、第１回転刃と固定刃の交差部および第２回転刃と固定刃の交差部とで、切断し、
第１キャリッジが第１溝の第１中心側位置に到達した時に第１回転刃が紙の切り残し予定部の第１端部側位置に来るように第１溝の第１中心側位置が設定され、第２キャリッジが第２溝の第２中心側位置に到達した時に第２回転刃がロール紙の切り残し予定部の第２端部側位置に来るように第２溝の第２中心側位置が設定されている、
ことを特徴とする回転刃式紙カッタ。
【請求項２】
第１溝と第２溝が、同じ回転回数で、一方が端部側位置から中央側位置に到達した時に他方が中央側位置に到達せず、他方が中央側位置に到達した時に一方は中央側位置を離れて復路行程にあるようにされ、かつ、同時に端部位置に戻れるように、第１溝と第２溝が形成されていることを特徴とする請求項１に記載の回転刃式紙カッタ。
【請求項３】
回転刃式紙カッタであって、
一方向に回転するスクリューシャフトに、キャリッジが係合可能でキャリッジを第１端部から第２端部を経て第１端部に往復移動可能な溝を設け、キャリッジには、キャリッジが移動する時に回転しながら固定刃に摺接する回転刃が取付けられ、回転刃が移動している時に、固定刃の回転刃が摺接する面に略直角に配置された紙を、回転刃と固定刃の交差部とで、切断し、
キャリッジに回転刃を取付た回転刃取付け軸の一方の端部を移動せしめて回転刃の姿勢を変換する姿勢変換機構が取付けられ、
第１端部から第２端部に向かう際に、第１の端部から第１中央位置までは回転刃を第２端部側が低い第１の姿勢に保ち、第１中央位置から第２端部までは、第１端部側が低い第２の姿勢に保ち、
第２端部から第１端部に向かう際に、第２の端部から第２中央位置までは回転刃を第１端部側が低い第２の姿勢に保ち、第２中央位置から第１端部までは、第２端部側が低い第１の姿勢に保ち、
回転刃が、下面から押し上げ力が作用すると、回転刃取付け軸の上を上方に移動できるように取付けられていて、
第１の端部から第１中央位置まで第１の姿勢で移動する時と第２の端部から第２中央位置まで第２の姿勢で移動する時は紙の切断をおこなうが、第１中央位置から第２端部まで第２の姿勢で移動する時と、第２中央位置から第１端部まで第１の姿勢で移動する際に回転刃が紙の面上を滑走して紙の切断をおこなわず、
第１中央位置は第２端部に向かう回転刃と固定刃の進行方向側の交差部が紙の切り残し予定部の第１端部側位置に合致するようにキャリッジを位置せしめる位置であり、
第２中央位置は第１端部に向かう回転刃と固定刃の進行方向側の交差部が紙の切り残し予定部の第２端部側位置に合致するようにキャリッジを位置せしめる位置である、
ことを特徴とする回転刃式紙カッタ。
【請求項４】
中央で回動可能に支持されたアームの一端に回転刃取付け軸の一方の端部が揺動自在に取付けられ、アームの他端がバネで引っ張られていて、アームの他端にはピンが取付けられていて、該ピンが筐体に固定された突起に当接することにより、アームの他端が弾かれて、回転刃の姿勢が変換せしめられる、ことを特徴とする請求項３に記載の回転刃式紙カッタ。
【発明の詳細な説明】
【０００１】
【発明の属する技術分野】
本発明は、回転刃で紙を切断する回転刃式紙カッタに関する。
【０００２】
【従来の技術】
店舗等においてレシートを印刷するために使用されるプリンタはロール紙が使用され、印刷が終了するとカッタでロール紙の切断をおこなっている。
この切断の際に用紙を幅方向に完全に切断（フルカット）すると、切断された紙が風で飛んでいってしまうおそれがあるために、切り残しを設けて切断するパーシャルカットをおこなうことが多い。
【０００３】
従来は、このパーシャルカットはＶ字形状の刃を移動させてギロチン式におこなわれている。ところが、刃が重く、刃を移動させるためのモータの消費電力も多いという欠点がある。
そこで、電力消費の少ない丸刃を回転させながら幅方向に移動させて切断をおこなう回転刃式カッタでパーシャルカットをおこなうようにしたものが開発されている。例えば、特開平１０−２７２８１１号公報に記載の装置がある。しかしながら、同公報の装置は、切り残しを一方の端部に形成するものである。ところが、このように、端部に切り残しが形成されたものでは、切り残しでつながれている部分が片側に偏り扱いづらいという問題や、紙の幅方向の位置のばらつきにより、切り残しに大小ができ、場合によっては、切り残しが形成されないこともある。
【０００４】
【発明が解決しようとする課題】
本発明は、上記問題に鑑み、中央に切り残しを形成することができる回転刃式紙カッタを提供することを目的とする。
【０００５】
【課題を解決するための手段】
請求項１の発明によれば、回転刃式紙カッタであって、
一方向に回転するスクリューシャフトに、第１キャリッジが係合可能で第１キャリッジを第１端部から中心側位置を経て第１端部に往復移動可能な第１の溝と、第２キャリッジが係合可能で第２キャリッジを第２端部から中心側位置を経て第２端部に往復移動可能な第２の溝を設け、
第１キャリッジに第１キャリッジが移動する時に回転しながら固定刃に摺接する第１回転刃を取付け、第２キャリッジに第２キャリッジが移動する時に回転しながら固定刃に摺接する第２回転刃を取付け、
第１回転刃と第２回転刃が中心に向かって移動している時に、固定刃の第１回転刃と第２回転刃が摺接する面に略直角に配置された紙を、第１回転刃と固定刃の交差部および第２回転刃と固定刃の交差部とで、切断し、
第１キャリッジが第１溝の第１中心側位置に到達した時に第１回転刃が紙の切り残し予定部の第１端部側位置に来るように第１溝の第１中心側位置が設定され、第２キャリッジが第２溝の第２中心側位置に到達した時に第２回転刃がロール紙の切り残し予定部の第２端部側位置に来るように第２溝の第２中心側位置が設定されている、ことを特徴とする回転刃式紙カッタが提供される。
【０００６】
このように構成された回転刃式紙カッタによれば、第１キャリッジが第１溝の第１端部から第１中心側位置に移動するときに第１回転刃が紙の切り残し予定部の第１端部側位置まで切断し、第２キャリッジが第２溝の第２端部から第２中心側位置に移動するときに第２回転刃が紙の切り残し予定部の第２端部側位置まで切断し、中央に予定の切り残しが形成される。
【０００７】
請求項２の発明によれば、請求項１の発明において、第１溝と第２溝が、同じ回転回数で、一方が端部側位置から中央側位置に到達した時に他方が中央側位置に到達せず、他方が中央側位置に到達した時に一方は中央側位置を離れて復路行程にあるようにされ、かつ、同時に端部位置に戻れるように、第１溝と第２溝が形成されていることを特徴とする回転刃式紙カッタが提供される。
このように構成された回転刃式紙カッタによれば、第１キャリッジと第２キャリッジは同時に中央側位置に到達しないので、第１キャリッジと第２キャリッジをそれぞれより中心に近い位置まで移動でき切り残しを小さくできる。
【０００８】
請求項３の発明によれば、回転刃式紙カッタであって、
一方向に回転するスクリューシャフトに、キャリッジが係合可能でキャリッジを第１端部から第２端部を経て第１端部に往復移動可能な溝を設け、キャリッジには、キャリッジが移動する時に回転しながら固定刃に摺接する回転刃が取付けられ、回転刃が移動している時に、固定刃の回転刃が摺接する面に略直角に配置された紙を、回転刃と固定刃の交差部とで、切断し、
キャリッジに回転刃を取付た回転刃取付け軸の一方の端部を移動せしめて回転刃の姿勢を変換する姿勢変換機構が取付けられ、
第１端部から第２端部に向かう際に、第１の端部から第１中央位置までは回転刃を第２端部側が低い第１の姿勢に保ち、第１中央位置から第２端部までは、第１端部側が低い第２の姿勢に保ち、
第２端部から第１端部に向かう際に、第２の端部から第２中央位置までは回転刃を第１端部側が低い第２の姿勢に保ち、第２中央位置から第１端部までは、第２端部側が低い第１の姿勢に保ち、
回転刃が、下面から押し上げ力が作用すると、回転刃取付け軸の上を上方に移動できるように取付けられていて、
第１の端部から第１中央位置まで第１の姿勢で移動する時と第２の端部から第２中央位置まで第２の姿勢で移動する時は紙の切断をおこなうが、第１中央位置から第２端部まで第２の姿勢で移動する時と、第２中央位置から第１端部まで第１の姿勢で移動する際に回転刃が紙の面上を滑走して紙の切断をおこなわず、
第１中央位置は第２端部に向かう回転刃と固定刃の進行方向側の交差部が紙の切り残し予定部の第１端部側位置に合致するようにキャリッジを位置せしめる位置であり、
第２中央位置は第１端部に向かう回転刃と固定刃の進行方向側の交差部が紙の切り残し予定部の第２端部側位置に合致するようにキャリッジを位置せしめる位置である、ことを特徴とする回転刃式紙カッタが提供される。
【０００９】
このように構成された回転刃式紙カッタによれば、第１の端部から第１中央位置まで第１の姿勢で移動する時と第２の端部から第２中央位置まで第２の姿勢で移動する時は紙の切断をおこなうが、第１中央位置から第２端部まで第２の姿勢で移動する時と、第２中央位置から第１端部まで第１の姿勢で移動する際に回転刃が紙の面上を滑走して紙の切断をおこなわないので、第１中央位置は第２端部に向かう回転刃と固定刃の進行方向側の交差部が紙の切り残し予定部の第１端部側位置に合致するようにキャリッジを位置せしめる位置とし、第２中央位置は第１端部に向かう回転刃と固定刃の進行方向側の交差部が紙の切り残し予定部の第１端部側位置に合致するようにキャリッジを位置せしめる位置とすることで、中央に予定の切り残しが形成される。
【００１０】
請求項４の発明によれば、請求項３の発明において、中央で回動可能に支持されたアームの一端に回転刃取付け軸の一方の端部が揺動自在に取付けられ、アームの他端がバネで引っ張られていて、アームの他端にはピンが取付けられていて、該ピンが筐体に固定された突起に当接することにより、アームの他端が弾かれて、回転刃の姿勢が変換せしめられる、ことを特徴とする回転刃式紙カッタが提供される。
【００１１】
【発明の実施の形態】
以下、添付の図面を参照して本発明の実施の形態を説明する。
図１は本発明の第１の実施の形態の斜視図である。モータ１０によりギヤ群２０を介して一定方向に駆動されるスクリューシャフト１００に第１溝１１０Ａと第２溝１１０Ｂが刻設されているが、両者は連続していない。第１溝１１０Ａには第１キャリッジ２００Ａのピン２１０Ａ、第２溝１１０Ｂには第２キャリッジ２００Ｂのピン２１０Ｂが係合していて、スクリューシャフト１００が回転すると、第１キャリッジ２００Ａ、第２キャリッジ２００Ｂはそれぞれ、軸線方向に移動する。４００Ａ，４００Ｂは第１キャリッジ２００Ａ、第２キャリッジ２００Ｂが端部位置にきたことを検出するためのセンサである。
【００１２】
第１キャリッジ２００Ａ（第２キャリッジ２００Ｂ）にはシャフト２２０Ａ（２２０Ｂ）が取付けられ、シャフト２２０Ａ（２２０Ｂ）にゴム製のローラ２３０Ａ（２３０Ｂ）と回転刃２４０Ａ（２４０Ｂ）が取付けられている、ローラ２３０Ａ（ローラ２３０Ｂ）は固定刃３００の側面３１０上を回転移動し、それにともない、シャフト２２０Ａ（２２０Ｂ）が回転すると回転刃２４０Ａ（２４０Ｂ）が固定刃３００の上面３２０に接しながら回転し、固定刃３００と回転刃２４０Ａ（２４０Ｂ）の交叉部でロール紙１を切断する。
【００１３】
なお、図２は第１キャリッジ２００Ａ（第２キャリッジ２００Ｂ）を軸方向から見た図であって、回転刃２４０Ａ（２４０Ｂ）はシャフト２２０Ａ（２２０Ｂ）のフランジ２２１Ａ（２２１Ｂ）にバネ２２２Ａ（２２２Ｂ）で押し付けられているだけで固定はされておらず、下から力を受けると上方に移動する。
【００１４】
図３は、上記のように構成される第１の実施の形態の作動を説明する図であって、スクリューシャフト１００の第１溝１００Ａ，第２溝１００Ｂは実線と破線で簡略的に図示してある。
スタート時には第１キャリッジ２００Ａのピン２１０Ａはスクリューシャフト１００の第１溝１００Ａの左端位置に係合し、第２キャリッジ２００Ｂのピン２１０Ｂはスクリューシャフト１００の第２溝１００Ｂの右端位置に係合し、
第１キャリッジ２００Ａ、第２キャリッジ２００Ｂはそれぞれ図示の位置にある。
【００１５】
スクリューシャフト１００が図示のように、右からみて反時計回りに回転すると、第１キャリッジ２００Ａと第２キャリッジ２００Ｂのピン２１０Ａ，２１０Ｂは、それぞれ、溝の細い矢印で示す往路用部分を進行して第１キャリッジ２００Ａと第２キャリッジ２００Ｂは中心に向かう。
【００１６】
そして、この第１の実施の形態の場合は、丁度４回転すると第１キャリッジ２００Ａと第２キャリッジ２００Ｂは最も中心寄りの地点に到達する。このとき、第１キャリッジ２００Ａと第２キャリッジ２００Ｂが衝突しないように溝の形状（最も中央寄りの位置）が設定されている。
【００１７】
この間、第１キャリッジ２００Ａの回転刃２４０Ａ、第２キャリッジ２００Ｂの回転刃２４０Ｂは、それぞれ、ＣＡとＣＢで示される範囲を移動する。したがって、ＣＲの部分は切り残される。なお、当然切断される紙の幅は図中ＰＷの範囲に納まっていなければならない。
【００１８】
スクリューシャフト１００はさらに同方向に回転を続けるが、最も中心寄りの地点に達した後は、第１キャリッジ２００Ａと第２キャリッジ２００Ｂのピン２１０Ａ，２１０Ｂは、それぞれ、溝の太い矢印で示す復路用部分を進行して第１キャリッジ２００Ａと第２キャリッジ２００Ｂはスタート地点に向かい、さらに４回転することでスタート地点に戻る。
【００１９】
上記の第１の実施の形態では第１キャリッジ２００Ａと第２キャリッジ２００Ｂをどこまで接近させることができるかによって、切り残しの幅ＣＲが決定される。
そこで、以下に説明する第２の実施の形態では、第１キャリッジ２００Ａと第２キャリッジ２００Ｂを衝突しないように位相差を設けて進行させ、より中心に近いところまで第１キャリッジ２００Ａと第２キャリッジ２００Ｂを進ませて、切り残しの幅ＣＲを減少している。
【００２０】
図４が、第２の実施の形態のスクリューシャフト１００と作動を説明する図である。
この第２の実施の形態のスクリューシャフト１００も第１の実施の形態と同様に右からみて反時計回りに回転するものである。第１の実施の形態と同様に、往路用部分を細い矢印で示し、復路用部分を太い矢印で示してある。
【００２１】
第１溝１００Ａはスタート位置から４回転半で最も中心寄りの位置に達し、３回転半でスタート位置に帰還するように形成されている。一方、第２溝１００Ｂはスタート位置から３回転半で最も中心寄りの位置に達し、４回転半でスタート位置に帰還するように形成されている。そして、第１溝１００Ａと第２溝１００Ｂの最も中心寄りの位置は、それぞれ、第１の実施の形態に比してより中心に近い側に延伸されている。
【００２２】
第２の実施の形態は、上記のように構成され、第２キャリッジ２００Ｂは３回転半でスタート位置から最も中心寄りの位置に達するが、その時点で、第１キャリッジ２００ＡはＰ３．５と付記された位置にある。また、第１キャリッジ２００Ａは４回転半でスタート位置から最も中心寄りの位置に達するが、その時点で、第２キャリッジ２００Ｂはすでに復路行程にありＰ４．５と付記された位置にある。すなわち、同時に最も中心寄りの位置に達することはなく、第１溝１００Ａと第２溝１００Ｂの最も中心寄りの位置が、それぞれ、第１の実施の形態に比してより中心に近い側に延伸させているのにもかかわらず、第１キャリッジ２００Ａと第２キャリッジ２００Ｂは衝突しない。
【００２３】
なお、第１キャリッジ２００Ａは往路は４回転半であるが復路は３回転半であり、第２キャリッジ２００Ｂは往路は３回転半であるが復路は４回転半であり、いずれも合計８回転でスタート位置に帰還できるので、スタート位置がずれることはない。
【００２４】
図５は、上記の動きを示すグラフであって、横軸は図４と同じスケールで示される軸方向位置であり、縦軸はスタート時点から何回回転したかを示す回転回数である。図中左側に実線で示されるのが第１キャリッジ２００Ａの回転刃２４０Ａと固定刃の交叉位置、すなわち、第１キャリッジ２００Ａによる紙の切断位置であり、図中右側に実線で示されるのが第２キャリッジ２００Ｂの回転刃２４０Ｂと固定刃の交叉位置、すなわち、第２キャリッジ２００Ｂによる紙の切断位置である。
【００２５】
また、図中左側に一点鎖線で示されるのが第１キャリッジ２００Ａの右端部の位置であり、図中右側に一点鎖線で示されるのが第２キャリッジ２００Ｂの左端部の位置である。同時に最も中心寄りの位置に達したならば衝突する第１キャリッジ２００Ａと第２キャリッジ２００Ｂが位相差を設けることにより衝突しないことが良く理解される。
【００２６】
次に、第３の実施の形態について説明する。
この第３の実施の形態は、第１、第２の実施の形態とは異なり、１つのキャリッジで中央部分に切り残しを設けるようにしたものである。
これは、図６の（Ａ）に示すように、回転刃２４０Ｃは、固定刃３００に接して進行していく際に、進行方向側を低く反進行方向側を高くすれば紙１を切断できるが、逆に、図６の（Ｂ）に示すように、進行方向側を高くして切断をおこなう刃の先端を紙１の厚さよりも高くすれば、回転刃２００Ｃは第１の実施の形態で説明したように、バネ２２２Ｃで付勢されてシャフト２２０Ｃに取付けられているが、上方に移動可能であるので、回転刃２００Ｃは上方に移動し紙１の上面を滑るようになり、紙１を切断しないということを利用するものである。
【００２７】
なお、図６において、回転刃２００Ｃのクロスハッチングを付した部分が上から見て固定刃３００の上に重なっている部分であって、図６の（Ａ）に示すように回転刃２００Ｃが左側に傾いているのが後述の説明における第１の姿勢であって、図６の（Ａ）には後述の説明における刃左交差部ＢＬの詳細位置が示されている。また、図６の（Ｂ）に示すように回転刃２４０Ｃが右側に傾いているのが後述の説明における第２の姿勢であって、図６の（Ｂ）には後述の説明における刃右交差部ＢＲの詳細位置が示されている。
【００２８】
図７は、この第３の実施の形態を説明する図であって、キャリッジ（図示せず）は図８に示すスクリューシャフトにより右端から左端まで移動し、次いで左端から右端に戻る。図７の（Ａ）で右端から左端への移動を説明し、図７の（Ｂ）で左端から右端への移動を説明する。
【００２９】
図７の（Ａ）に示されるように、スタート時、キャリッジ２００Ｃの中心（軸方向の中心）はＰ０にあり、回転刃２４０Ｃは進行方向側が低くされた第１の姿勢にある、そして、この第１の姿勢の場合、上から見て、回転刃２４０Ｃの低い側が固定刃３００と図中回転刃中心よりも左側で交差している。この回転刃中心よりも左側における交差部を刃左交差部と言い、符号ＢＬであらわすことにすると、スタート時に刃左交差部ＢＬはＱ０の位置にある。左交差部ＢＬの詳細な位置は図６の（Ａ）に示してある。
【００３０】
スクリューシャフト１００が回転すると、キャリッジ２００Ｃは左に移動する。前述したように、進行方向側で刃が低くなるようにして進行すれば、紙を切断することができるので、刃左交差部ＢＬは紙を切断していく。そして、刃左交差部ＢＬは切り残し予定部ＣＲの右端Ｑ１に到達する。この時キャリッジ２００Ｃの中心はＰ１にある。
【００３１】
キャリッジ２００Ｃの中心がＰ１に移動し、刃左交差部ＢＬが切り残し予定部ＣＲの右端Ｑ１に到達したら後述する方法により回転刃２４０Ｃを進行方向側が高い第２の姿勢に変換する。この第２の姿勢になると、上から見て、回転刃２４０Ｃの低い側の固定刃３００との交差部は図中回転刃中心よりも右側で交差するようになる。この回転刃中心よりも右側における交差部を刃右交差部と言い、符号ＢＲであらわすことにすると、キャリッジ２００Ｃの中心がＰ１にあるときに、刃右交差部ＢＬはＱ２の位置にある。
【００３２】
この第２の姿勢を保ってキャリッジ２００Ｃはスクリューシャフト１００の回転にともないが最左端位置Ｐ２に達するまで左方に進むが、この第２の姿勢では、進行方向側が高くなっているので、紙の切断は行なわれない。キャリッジ２００Ｃが最左端位置Ｐ２に到達した時、刃右交差部ＢＲはＱ３の位置にある。
【００３３】
以上が、図７の（Ａ）に示されている、キャリッジ２００Ｃが右端のスタート位置から左端の折り返し点まで左方向に進むときの、各部の作動であるが、この間に、紙１には、第１の姿勢で刃左交差部ＢＬがＱ０からＱ１に移動する際に切れ目ＰＸ１が形成される。
【００３４】
次に、図７の（Ｂ）を参照して、キャリッジ２００が最左端位置Ｐ２から右端のスタート位置Ｐ０に戻るまでの作動を説明する。
キャリッジ２００Ｃはスクリューシャフト１００の回転がさらに進むと第２の姿勢で右に向かって進む。この第２の姿勢で右に進むと、進行方向側が低くなっているので、紙の切断が実行される。スクリューシャフト１００を回転させて刃右交差部ＢＲが、切り残し予定部ＢＲの左端Ｑ４に到達するように、キャリッジ２００Ｃの中心をＰ３まで移動せしめる。
【００３５】
キャリッジ２００の中心がＰ３にきたところで、姿勢を第１の姿勢にする。そして、第１の姿勢でキャリッジ２００Ｃを右方向に移動せしめ、キャリッジ２００Ｃの中心をスタート時の位置Ｐ０に到達させる。第１の姿勢では、進行方向側が高くなっているので、紙の切断は行なわれない。キャリッジ２００Ｃがスタート位置Ｐ０に到達した時、刃右交差部ＢＲはＱ０の位置にあり、次回の作業に備えることができる。
【００３６】
以上が、図７の（Ｂ）に示されている、キャリッジ２００が左端の位置から右端のスタート位置まで右方向に進むときの、各部の作動であるが、この間に、紙１には、第２の姿勢で刃右交差部ＢＲがＱ３からＱ４に移動することにより切れ目ＰＸ２が形成され、すでに形成されている切れ目ＰＸ１との間に切れ残しＣＲが形成されることになる。
【００３７】
図８は、上記の作動途中におこなう回転刃の姿勢変換のための姿勢変換機構の説明図である。
図８の（Ａ）を参照すると、キャリッジ２００Ｃの回転刃２４０Ｃを取付けるシャフト２２０Ｃは下端部でアーム２５０の端部に揺動可能に係合されている。アーム２５０Ｃは中央部分でキャリッジ２００Ｃの下側部材２０１Ｃに取付けられた軸２５１Ｃに回転自在に取付けられている。また、反シャフト側の端部にはコイルバネ２５２Ｃの一端が取付けられ、コイルバネ２５２Ｃの他端はキャリッジ２００Ｃの上側部材２０２Ｃに取付けられている。一方、アーム２５０Ｃの下面にはピン２５３Ｃが取付けられ、ピン２５３Ｃはキャリッジ２００Ｃの下側部材２０１Ｃに形成されている穴２０３Ｃを通って、キャリッジ２００Ｃの外部に突出している。
【００３８】
一方、図示しない全体の筐体に、前記図７に関する説明において、左に進む回転刃２４０Ｃの刃左交差部ＢＬが切り残し予定部ＣＲの右端Ｑ１に到達した時に、ピン２５３Ｃが当たる突起２５４Ｃが設けられている。
例えば、図７で左方向に進むときは、スタート位置からピン２５３Ｃが突起２５４Ｃに当たるまでは、上面から見た図８の（Ｂ）において、アーム２５０Ｃは第１の姿勢と付記された状態であるが、ピン２５３Ｃが突起２５４Ｃに当たってから左端位置に到達するまでは、アーム２５０Ｃは図８の（Ｂ）において第２の姿勢と付記された状態となる。
【００３９】
図８の（Ｃ）は第１の姿勢の回転刃２４０Ｃまわりの様子を示し、図８の（Ｄ）は第２の姿勢の回転刃２４０Ｃまわりの様子を示している。
なお、突起２５４Ｃは前記図７に関する説明において、左端から右に進む回転刃２４０Ｃの刃左交差部ＢＲが切り残し予定部ＣＲの左端Ｑ４に到達した時に、ピン２５３Ｃが当たるようにもされていて、ピン２５３Ｃが突起２５４Ｃに当たるまでは、第２の姿勢であるが、当たった後は第１の姿勢となる。
【００４０】
第１の姿勢あるいは第２の姿勢になった後は、次にピン２５３Ｃが突起２５４Ｃに当たるまでは、その姿勢を維持する。というのは、バネ２５２Ｃのキャリッジ２００Ｃの上側部材２０２Ｃへの取付け点をＳ１、バネ２５２Ｃのアーム２５０Ｃへの取付け点をＳ２、軸２５１Ｃの中心をＳ３とすると、Ｓ１、Ｓ２，Ｓ３で形成される３角形の一つの辺（Ｓ１とＳ２の間）をバネ２５２Ｃが引っ張り、この辺は、他の２つの辺、すなわち、Ｓ２とＳ３の間の辺と、Ｓ１とＳ３の間の辺と、の和よりも短いからである。
【００４１】
図９は第３の実施の形態に使用されるスクリューシャフト１００の溝１１０Ｃを示す図であって、第１、第２の実施の形態のように、分断されておらず、連続した溝とされている。
【００４２】
【発明の効果】
請求項１に記載の発明は、回転刃式紙カッタであるが、
一方向に回転するスクリューシャフトに、第１キャリッジが係合可能で第１キャリッジを第１端部から中心側位置を経て第１端部に往復移動可能な第１の溝と、第２キャリッジが係合可能で第２キャリッジを第２端部から中心側位置を経て第２端部に往復移動可能な第２の溝を設け、
第１キャリッジに第１キャリッジが移動する時に回転しながら固定刃に摺接する第１回転刃を取付け、第２キャリッジに第２キャリッジが移動する時に回転しながら固定刃に摺接する第２回転刃を取付け、
第１回転刃と第２回転刃が中心に向かって移動している時に、固定刃の第１回転刃と第２回転刃が摺接する面に略直角に配置された紙を、第１回転刃と固定刃の交差部および第２回転刃と固定刃の交差部とで、切断し、
第１キャリッジが第１溝の第１中心側位置に到達した時に第１回転刃が紙の切り残し予定部の第１端部側位置に来るように第１溝の第１中心側位置が設定され、第２キャリッジが第２溝の第２中心側位置に到達した時に第２回転刃がロール紙の切り残し予定部の第２端部側位置に来るように第２溝の第２中心側位置が設定されている。
したがって、回転刃式紙カッタでありながら中央に予定の切り残しを形成することができる。
【００４３】
特に請求項２のように、第１溝と第２溝が、同じ回転回数で、一方が端部側位置から中央側位置に到達した時に他方が中央側位置に到達せず、他方が中央側位置に到達した時に一方は中央側位置を離れて復路行程にあるようにされ、かつ、同時に端部位置に戻れるように、第１溝と第２溝が形成すれば、第１キャリッジと第２キャリッジは同時に中央側位置に到達しないので、第１キャリッジと第２キャリッジをそれぞれより中心に近い位置まで移動でき切り残しを小さくできる。
【００４４】
請求項３に記載の発明は、回転刃式紙カッタであるが、
一方向に回転するスクリューシャフトに、キャリッジが係合可能でキャリッジを第１端部から第２端部を経て第１端部に往復移動可能な溝を設け、キャリッジには、キャリッジが移動する時に回転しながら固定刃に摺接する回転刃が取付けられ、回転刃が移動している時に、固定刃の回転刃が摺接する面に略直角に配置された紙を、回転刃と固定刃の交差部とで、切断し、
キャリッジに回転刃を取付た回転刃取付け軸の一方の端部を移動せしめて回転刃の姿勢を変換する姿勢変換機構が取付けられ、
第１端部から第２端部に向かう際に、第１の端部から第１中央位置までは回転刃を第２端部側が低い第１の姿勢に保ち、第１中央位置から第２端部までは、第１端部側が低い第２の姿勢に保ち、
第２端部から第１端部に向かう際に、第２の端部から第２中央位置までは回転刃を第１端部側が低い第２の姿勢に保ち、第２中央位置から第１端部までは、第２端部側が低い第１の姿勢に保ち、
回転刃が、下面から押し上げ力が作用すると、回転刃取付け軸の上を上方に移動できるように取付けられていて、
第１の端部から第１中央位置まで第１の姿勢で移動する時と第２の端部から第２中央位置まで第２の姿勢で移動する時は紙の切断をおこなうが、第１中央位置から第２端部まで第２の姿勢で移動する時と、第２中央位置から第１端部まで第１の姿勢で移動する際に回転刃が紙の面上を滑走して紙の切断をおこなわず、
第１中央位置は第２端部に向かう回転刃と固定刃の進行方向側の交差部が紙の切り残し予定部の第１端部側位置に合致するようにキャリッジを位置せしめる位置であり、
第２中央位置は第１端部に向かう回転刃と固定刃の進行方向側の交差部が紙の切り残し予定部の第２端部側位置に合致するようにキャリッジを位置せしめる位置である、ようにされている。
したがって、回転刃式紙カッタでありながら中央に予定の切り残しを形成することができる。
【図面の簡単な説明】
【図１】第１の実施の形態の構成を示す斜視図である。
【図２】キャリッジを拡大して軸線方向から見た図である。
【図３】第１の実施の形態のスクリューシャフトを説明する図である。
【図４】第２の実施の形態のスクリューシャフトを説明する図である。
【図５】第２の実施の形態の作動を説明するグラフである。
【図６】第３の実施の形態の回転刃の姿勢の変化を説明する図であって、
（Ａ）は進行方向側が低い状態を示す図である。
（Ｂ）は進行方向側が低い状態を示す図である。
【図７】第３の実施の形態の作動を説明する図であって、
（Ａ）はキャリッジが左方向に進む時の様子を示す図である。
（Ｂ）はキャリッジが右方向に進む時の様子を示す図である。
【図８】第３の実施の形態の回転刃の姿勢変換機構を説明する図であって、
（Ａ）はキャリッジ全体を軸方向から見た図である。
（Ｂ）はアームを上から見た図である。
（Ｃ）は第１の姿勢における回転刃まわりの様子を軸に直角な側面かた見た図である。
（Ｄ）は第２の姿勢における回転刃まわりの様子を軸に直角な側面かた見た図である。
【図９】第３の実施の形態に使用されるスクリューシャフトを示す図である。
【符号の説明】
１…ロール紙
１００…スクリューシャフト
１１０Ａ、１１０Ｂ…第１、第２溝
１１０Ｃ…溝
２００Ａ、２００Ｂ…第１、第２キャリッジ
２００Ｃ…キャリッジ
２１０Ａ、２１０Ｂ、２１０Ｃ…ピン
２２０Ａ、２２０Ｂ、２２０Ｃ…シャフト
２３０Ａ、２３０Ｂ、２３０Ｃ…ローラ
２４０Ａ、２４０Ｂ、２４０Ｃ…回転刃
２５０Ｃ…アーム
２５１Ｃ…軸
２５２Ｃ…バネ
２５３Ｃ…ピン
２５４Ｃ…突起
３００…固定刃
【図１】
0004688368.tif 000002
【図２】
0004688368.tif 000003
【図３】
0004688368.tif 000004
【図４】
0004688368.tif 000005
【図５】
0004688368.tif 000006
【図６】
0004688368.tif 000007
【図７】
0004688368.tif 000008
【図８】
0004688368.tif 000009
【図９】
0004688368.tif 000010